(57)【要約】【課題】複数の圃場が密集している場合でも、農作業従事者が農作業を実施する圃場を容易に見つけることができる営農システムを提供する。【解決手段】サーバー１０，２０と、携帯端末３０と、圃場に立てられる標識４０と、を有する営農システムであって、サーバー１０，２０は、農作物の育成手順を圃場ごとに登録した作業予定計画を記憶する記憶部１２と、携帯端末３０から要求があった場合に、作業予定計画に基づく実施予定情報を携帯端末３０に送信する応答部１１と、を有し、標識４０は、当該標識４０が立てられる圃場の識別情報を有し、携帯端末３０は、標識４０から識別情報を読み取る読み取り部３６と、サーバー２０から識別情報に対応する圃場の実施予定情報を取得する取得部３１と、を有する営農システム。【選択図】図１
2020091840.tif 000002
【特許請求の範囲】
【請求項１】
サーバーと、携帯端末と、圃場に設置される標識と、を有する営農システムであって、
サーバーは、
農作物の育成手順を圃場ごとに登録した作業予定計画を記憶する記憶部と、
前記携帯端末から要求があった場合に、前記作業予定計画に基づく実施予定情報を前記携帯端末に送信する応答部と、を有し、
前記標識は、当該標識が設置された圃場の識別情報を有し、
前記携帯端末は、
前記標識から前記識別情報を読み取る読み取り部と、
前記サーバーから前記識別情報に対応する圃場の前記実施予定情報を取得する取得部と、を有する営農システム。
【請求項２】
前記標識は、前記識別情報を記憶したＲＦタグを有し、
前記携帯端末の読み取り部は、前記ＲＦタグから前記識別情報を読み取り可能なＲＦリーダーであり、
前記携帯端末の取得部は、前記ＲＦタグから読み取った前記識別情報を前記サーバーに送信することで、前記サーバーから前記識別情報に対応する圃場の前記実施予定情報を取得する、請求項１に記載の営農システム。
【請求項３】
前記標識は、前記識別情報をＱＲコードとして有しており、
前記携帯端末の読み取り部は、前記ＱＲコードを読み取り可能であり、
前記携帯端末の取得部は、前記ＱＲコードに応じたＵＲＬにアクセスすることで、前記サーバーから前記識別情報に対応する圃場の前記実施予定情報を取得する、請求項１に記載の営農システム。
【請求項４】
前記携帯端末は前記実施予定情報を表示する表示部をさらに有する、請求項１ないし３のいずれかに記載の営農システム。
【請求項５】
前記サーバーは、前記作業予定計画を作成、修正または閲覧することが可能な端末装置である、請求項１ないし４のいずれかに記載の営農システム。
【請求項６】
前記サーバーは、前記圃場に設けられた水位センサーから圃場の水位データを取得する水位データ取得部をさらに有する、請求項１ないし５のいずれかに記載の営農システム。
【請求項７】
前記サーバーは、前記携帯端末または端末装置から受信した指示に基づいて、遠隔から制御可能な自動給水装置に対して給水指示を出力する給水指示部をさらに有する、請求項１ないし６のいずれかに記載の営農システム。
【請求項８】
前記サーバーは、前記携帯端末または端末装置から受信した指示に基づいて、遠隔から制御可能な自動排水装置に対して排水指示を出力する排水指示部をさらに有する、請求項１ないし７のいずれかに記載の営農システム。
【請求項９】
サーバーと、携帯端末と、圃場における管理単位ごとに設置される標識と、を有する営農システムであって、
サーバーは、
農作物の育成手順を前記管理単位ごとに登録した作業予定計画を記憶する記憶部と、
前記携帯端末から要求があった場合に、前記作業予定計画に基づく実施予定情報を前記携帯端末に送信する応答部と、を有し、
前記標識は、当該標識が設置された前記管理単位の識別情報を有し、
前記携帯端末は、
前記標識から前記識別情報を読み取る読み取り部と、
前記サーバーから前記識別情報に対応する前記管理単位の前記実施予定情報を取得する取得部と、を有する営農システム。
【請求項１０】
前記管理単位は、果樹、畝、または、畝もしくは圃場を複数の領域に分割した分割領域である、請求項９に記載の営農システム。
【発明の詳細な説明】
【技術分野】
【０００１】
本発明は、複数の農作区画に区分けされた圃場に対して実施される農作業を管理することで、農作業管理者および農作業従事者を支援する営農システムに関する。
【背景技術】
【０００２】
近年、人手不足などにより、個人が、所有する圃場の農作業を行う形態ではなく、複数の農業従業者が組織を作り、複数の圃場を、複数の農業従業者で運用・管理する形態が注目されている。しかしながら、このように複数の農業従業者が複数の圃場で農作業を行う場合、圃場ごとの農作業を管理することが困難となるため、圃場ごとの農作業工程を表した農作業計画書を作成する営農システムが知られている（たとえば特許文献１）。
【先行技術文献】
【特許文献】
【０００３】
【特許文献１】特開２０１４−１９４６５３号公報
【発明の概要】
【発明が解決しようとする課題】
【０００４】
しかしながら、たとえ農作業計画書を作成し、農作業従業者が農作業を実施する圃場の情報を把握した場合でも、農作業従事者が圃場まで実際に赴いた際に、密集した複数の圃場の中から、農作業を実際に実施する圃場を見つけることが困難な場合があった。
【０００５】
本発明は、複数の圃場が密集している場合でも、農作業従事者が農作業を実施する圃場を容易に見つけることができる営農システムを提供することを目的とする。
【課題を解決するための手段】
【０００６】
本発明に係る営農システムは、サーバーと、携帯端末と、圃場に立てられる標識と、を有する営農システムであって、サーバーは、農作物の育成手順を圃場ごとに登録した作業予定計画を記憶する記憶部と、前記携帯端末から要求があった場合に、前記作業予定計画に基づく実施予定情報を前記携帯端末に送信する応答部と、を有し、前記標識は、当該標識が立てられる圃場の識別情報を有し、前記携帯端末は、前記標識から前記識別情報を読み取る読み取り部と、前記サーバーから前記識別情報に対応する圃場の前記実施予定情報を取得する取得部と、を有する営農システム。
上記営農システムにおいて、前記標識は、前記識別情報を記憶したＲＦタグを有し、  前記携帯端末の読み取り部は、前記ＲＦタグから前記識別情報を読み取り可能なＲＦリーダーであり、前記携帯端末の取得部は、前記ＲＦタグから読み取った前記識別情報を前記サーバーに送信することで、前記サーバーから前記識別情報に対応する圃場の前記実施予定情報を取得するように構成することができる。
上記営農システムにおいて、前記標識は、前記識別情報をＱＲコードとして有しており、前記携帯端末の読み取り部は、前記ＱＲコードを読み取り可能であり、前記携帯端末の取得部は、前記ＱＲコードに応じたＵＲＬにアクセスすることで、前記サーバーから前記識別情報に対応する圃場の前記実施予定情報を取得するように構成することができる。
上記営農システムにおいて、前記携帯端末は前記実施予定情報を表示する表示部をさらに有するように構成することができる。
上記営農システムにおいて、前記サーバーに接続し、前記作業予定計画を作成、修正または閲覧することが可能な端末装置をさらに有するように構成することができる。
上記営農システムにおいて、前記サーバーは、前記圃場に設けられた水位センサーから圃場の水位データを取得する水位データ取得部をさらに有するように構成することができる。
上記営農システムにおいて、前記サーバーは、前記携帯端末または端末装置から受信した指示に基づいて、遠隔から開閉制御可能な自動給水装置に対して給水指示を出力する給水指示部をさらに有するように構成することができる。
上記営農システムにおいて、前記サーバーは、前記携帯端末または端末装置から受信した指示に基づいて、遠隔から制御可能な自動排水装置に対して排水指示を出力する排水指示部をさらに有するように構成することができる。
【発明の効果】
【０００７】
本発明によれば、複数の圃場が密集している場合でも、農作業従事者が農作業を実施する圃場を簡易に見つけることができる。
【図面の簡単な説明】
【０００８】
【図１】第１実施形態に係る営農システムの構成図である。
【図２】本実施形態の標識の一例を示す図である。
【図３】本実施形態に係る農作業登録処理を示すフローチャートである。
【図４】本実施形態に係る農作業確認処理を示すフローチャートである。
【図５】農作物の育成手順を作成するための画面の一例を示す図である。
【図６】育成手順の詳細登録画面の一例を示す図である。
【図７】圃場台帳を作成するための画面の一例を示す図である。
【図８】圃場台帳に関連付けされた圃場の航空写真の一例を示す図である。
【図９】作業予定計画を作成するための画面の一例を示す図である。
【図１０】印刷した実施予定情報の一例を示す図である。
【図１１】携帯端末のディスプレイに表示される実施予定情報の一例である。
【図１２】携帯端末から実施状況を入力するための画面の一例を示す図である。
【図１３】実施状況を確認するための画面の一例を示す図である。
【図１４】実施状況を確認するための画面に関連付けされた圃場の航空写真の一例を示す図である。
【図１５】実施実績を登録するための画面の一例を示す図である。
【図１６】第２実施形態に係る営農システムの構成図である。
【発明を実施するための形態】
【０００９】
以下に、図に基づいて、本実施形態に係る営農システムを説明する。本実施形態に係る営農システムは、複数の農作業従事者と、当該複数の農作業従事者を管理する農作業管理者とにより利用されるシステムであり、農作業管理者が作成した作業予定計画に基づいて、農作業従事者が農作業を行うことを支援する。
【００１０】
≪第１実施形態≫
図１は、第１実施形態に係る営農システム１００を示す構成図である。図１に示すように、本実施形態に係る営農システム１００は、端末装置１０と、外部サーバー２０と、携帯端末３０と、標識４０とを有する。なお、端末装置１０と、外部サーバー２０と、携帯端末３０とは、インターネット回線や電話通信網などの電気通信回線５０を介して電気的に接続しており、互いに情報の授受が可能となっている。
【００１１】
端末装置１０は、たとえばサーバー機能を有するパーソナルコンピューターなどの情報機器であり、処理部１１と、記憶部１２と、入力部１３と、ディスプレイ１４と、通信部１５とを有する。記憶部１２には、営農プログラムが記憶されているとともに、データベースとしても機能し、営農プログラムのマスターデータや実績データなどの各種データが記憶されている。端末装置１０は、記憶部１２に記憶された営農プログラムを実行することで、農作物の育成手順（作業内容および作業日付）を圃場ごとに割り当てた作業予定計画を作成または修正し、作成または修正した作業予定計画を記憶部１２に記憶するとともに、通信部１５を介して外部サーバー２０に送信することで外部サーバー２０のデータベース２４にも保存する。なお、端末装置１０により作業予定計画を作成および修正する方法の詳細については後述する。
【００１２】
また、端末装置１０は、入力部１３を介して農作業管理者または農作業従事者から作業予定計画の確認指示が入力された場合に、データーベース機能を有する記憶部１２から作業予定計画を取得し、ディスプレイ１４に表示する。また、端末装置１０は、プリンター１６と電気的に接続しており、入力部１３を介して農作業管理者または農作業従事者から作業予定計画の印刷指示が入力された場合に、作業予定計画または作業予定計画に基づく実施予定情報（特定の日付または特定の担当者の作業計画）を、プリンター１６に印刷させる。
【００１３】
外部サーバー２０は、たとえば電気通信回線５０上に置かれた外部のサーバーであって、電気通信回線５０を介して携帯端末３０が外部サーバー２０から作業予定計画を取得できるように構成されている。外部サーバー２０は、処理装置２１と、記憶装置２２と、通信装置２３と、データベース２４とを有する。外部サーバー２０は、通信装置２３を介して、端末装置１０から作業予定計画を受信した場合に、受信した作業予定計画をデータベース２４に保存することで、作業予定計画について端末装置１０と同期を行っている。また、外部サーバー２０は、通信装置２３を介して携帯端末３０から、本日実施する予定の農作業の内容を含む実施予定情報の取得要求を受信した場合に、データベース２４に保存している作業予定計画から本日の実施予定情報を抽出し、携帯端末３０に送信する。また、外部サーバー２０は、携帯端末３０から圃場を識別するための圃場識別情報とともに実施予定情報の取得要求があった場合には、当該識別情報に対応する圃場における本日の実施予定情報を携帯端末３０に送信する。
【００１４】
携帯端末３０は、たとえばスマートフォンやタブレットなどの携帯可能な機器であり、処理部３１と、記憶部３２と、入力部３３と、ディスプレイ３４と、通信部３５と、読み取り部３６とを有する。携帯端末３０は、農作業経営者または農作業従事者により入力部３３から本日の実施予定情報の取得指示が入力された場合に、本日の実施予定情報を外部サーバー２０から受信し、携帯端末３０のディスプレイ３４に受信した実施予定情報を表示する。
【００１５】
また、本実施形態における営農システム１００では、圃場ごとに標識４０がそれぞれ立てられている。図２は、本実施形態に係る標識４０の一例を示す図である。本実施形態では、図２に示すように、看板部４２と、圃場に埋め込まれる脚部４３とを有しており、看板部４２は、標識４０が立てられている圃場を識別するための識別情報を有している。たとえば、本実施形態に係る標識４０では、看板部４２に、非接触式のＲＦタグ４１が埋め込まれており、当該ＲＦタグには圃場を識別するための圃場識別情報が記憶されている。なお、ＲＦタグは、ＲＦＩＤ（radio frequency identifier）技術を用いて、ＲＦタグに記憶した情報を、電磁界や電波などを用いた近距離（周波数帯によって数ｃｍ〜数ｍ）の無線通信により、ＲＦＩＤリーダーで読み取ることができるものであり、たとえばＩＣタグやＮＦＣ（Near field communication）タグなどが含まれる。また現在、食の安全や環境保全に取り組む農場であることを認証する枠組みとして、ジェーギャップ（Ｊ−ＧＡＰ）やグローバルギャップ（Ｇ−ＧＡＰ）などの制度がある。これらの認証を受けた圃場は標識（看板）を設置する義務があり、このような認証を示すための標識（看板）を、標識４０として利用することもできる。
【００１６】
本実施形態において、携帯端末３０は、非接触式のＲＦＩＤリーダーである読み取り部３６を備えており、農作業従事者は、携帯端末３０を標識４０にかざすことで、標識４０が立てられている圃場の識別番号を取得することができる。そして、携帯端末３０の処理部３１は、標識４０から圃場の識別情報を取得した場合に、通信部３５を介して、圃場の識別番号を含む実施予定情報の取得要求を外部サーバー２０に送信する。外部サーバー２０は、携帯端末３０から圃場の識別番号を含む実施予定情報の要求情報を受信すると、受信した圃場の識別番号に基づいて、当該識別番号に対応する圃場の実施予定情報（識別番号に対応する圃場において本日実施する農作業の内容などの情報）をデータベース２４に格納された作業予定計画から抽出し、携帯端末３０に送信する。これにより、携帯端末３０は、外部サーバー２０から、標識４０が立てられた圃場における実施予定情報を取得することができディスプレイ３４に表示することで、農作業従事者に、標識４０が立てられた圃場における本日の実施予定情報を表示することができる。
【００１７】
次に、本実施形態における農作業登録処理および農作業確認処理について説明する。図３は、本実施形態に係る農作業登録処理を示すフローチャートであり、図４は、本実施形態に係る農作業確認処理を示すフローチャートである。まず、図３に基づいて、本実施形態に係る農作業登録処理について説明する。
【００１８】
図３に示すように、まずステップＳ１０１では、端末装置１０の処理部１１により、農作物の育成手順を作成する処理が行われる。ここで、図５は、農作物の育成手順を作成するための画面の一例を示す図である。農作業管理者は、端末装置１０の入力部１３により端末装置１０に農作物の育成手順を作成するための画面を表示させることができ、当該画面において、農作物の種類、品種、作業内容、作業日付などの入力情報を入力する。また、本実施形態では、図５に示すように、田植えや除草剤散布などの圃場内の作業だけではなく、掃除片付雑務、機械整備、消毒、乾燥、浸種、または播種などの圃場外の作業も作業内容に含めて入力することができる。
【００１９】
また、図６は、育成手順の詳細登録画面の一例を示す図である。図６に示すように、農作業管理者は、端末装置１０の入力部１３を介して、使用する農薬や肥料の情報を入力情報として入力することができる。なお、本実施形態では、データベース機能を有する端末装置１０の記憶装置１２に、農作物の種類・品種ごとにデフォルトの育成手順（育成手順のマスター）が登録されており、農作業管理者は、端末装置１０を介して、記憶部１２からデフォルトの育成手順を取得して画面に表示させることができる。これにより、農作業管理者は、図５に示すように、作業日付（今回予定日）を入力するだけで育成手順を容易に作成することができる。図５に示す画面では、新しい作業内容の追加や、デフォルトの作業内容の削除を行うこともできる。
【００２０】
ステップＳ１０２では、端末装置１０の処理部１１により、圃場台帳を作成する処理が行われる。ここで、図７は、圃場台帳を作成するための画面の一例を示す図である。農作業管理者は、端末装置１０の入力部１３を介して、図７に示すように、圃場台帳を作成するための画面を端末装置１０のディスプレイ１４に表示させ、ステップＳ１０１で作成した育成手順（作付けする農作物・品種を含む）を各圃場に割り当てることができる。これにより、農作物の種類、品種、作業内容、作業日付などを圃場ごとに設定することができる。なお、圃場台帳は、図８に示すように、航空写真と連動しており、たとえば図７に示す画面において圃場を示す列をクリックすることで、図８に示す画面に切り替わり、クリックした圃場を地図上で確認することもできる。なお、図８は、圃場台帳に関連付けされた圃場の航空写真の一例を示す図である。
【００２１】
ステップＳ１０３では、端末装置１０の処理部１１により、作業予定計画の作成が行われる。具体的には、端末装置１０は、図９に示すように、ステップＳ１０２で圃場ごとに割り当てた育成手順を時系列に沿って一覧とした作業予定計画を作成し、ディスプレイ１４に表示する。なお、図９は、作業予定計画を作成するための画面の一例を示す図である。たとえば、図９に示す例において、一番上の列には、作物名「こがねもち」、圃場番号「０３４７」、圃場名「上直海３４７」について、５月１３日（日）、５月１５（火）、５月２３（水）に作業を行うことを把握することができる。たとえば、農作業管理者が５月１３日（日）の作業内容の詳細を知りたい場合には、５月１３日（日）の箇所をクリックすることで、作業内容の詳細が表示される。
【００２２】
ステップＳ１０４では、端末装置１０の処理部１１により、ステップＳ１０３で作成した作業予定計画の修正が行われる。図９に示すように、作業予定計画は、各圃場の作業内容が日ごとに一覧で表示されるため、たとえば、農作業管理者は、農作業従事者の数に対して作業内容が多い日付では、作業内容のうちの一部を別の日付を変更するなどして、作業予定計画を修正することができる。なお、作業予定計画を修正する必要がない場合は、ステップＳ１０４の処理は行う必要はない。
【００２３】
ステップＳ１０５では、端末装置１０の処理部１１により、ステップＳ１０３で作成した作業予定計画、または、ステップＳ１０４で修正した作業予定計画が、通信部１５を介して外部サーバー２０に送信され、外部サーバー２０のデータベース２４に保存される。これにより、圃場ごとの育成手順を登録した作業予定計画を作成する農作業登録処理が終了する。そして、図３に示す農作業登録処理により作成した作業予定計画を用いて、図４に示す農作業確認処理が行われる。以下に、図４に示す農作業確認処理を説明する。
【００２４】
図４に示す農作業確認処理では、たとえば農作業管理者または農作業従事者が、本日の作業を開始する前に、端末装置１０や携帯端末３０を用いて、本日の作業内容を含む実施予定情報を確認し、本日の作業を開始した後は、作業の実施状況を入力および確認し、さらに作業実績を登録する処理である。なお、本実施形態例に係る農作業確認処理において、ステップＳ２０１〜Ｓ２０３は端末装置１０により実行され、ステップＳ２０４〜Ｓ２０８は携帯端末３０および外部サーバー２０により実行され、ステップＳ２０９は端末装置１０により実行される。
【００２５】
ステップＳ２０１〜Ｓ２０３は、たとえば農作業管理者または農作業従事者が、本日の作業を開始する前に、端末装置１０により、本日の実施予定情報を確認し、印刷する処理である。具体的に、ステップＳ２０１では、端末装置１０の処理部１１により、記憶部１２に記憶されている実施予定情報が取得され、ディスプレイ１４に表示される。農作業管理者または農作業従事者は、実施予定情報を確認する圃場や担当者、日付などを適宜選択することができ、このような場合、選択された条件に応じた実施予定情報をディスプレイ１４に表示することができる。ここで、図１０は、ステップＳ２０１で表示される実施予定情報の一例であり、特定の担当者の実施予定情報の一例を示す図である。このように、農作業管理者および農作業従事者は、本日実施すべき作業を確認することができる。そして、ステップＳ２０２では、端末装置１０の処理部１１により、農作業管理者または農作業従事者が入力部１３を介して、実施予定情報を印刷する指示を入力したか否かの判断が行われる。実施予定情報の印刷指示があった場合には、ステップＳ２０３に進み、ステップＳ２０２で表示した実施予定情報の印刷が行われる。
【００２６】
ステップＳ２０４〜Ｓ２０８は、たとえば農作業従事者が、実際に圃場まで行き、自分が本日作業する圃場および作業内容を確認するとともに、作業状況を入力するための処理である。ステップＳ２０４では、農作業従事者が携帯する携帯端末３０により、実施予定情報を取得するための取得要求がサーバー２０に送信され、サーバー２０により、携帯端末３０から送信された取得要求が受信される。そして、ステップＳ２０５では、外部サーバー２０により、ステップＳ２０４で取得した取得要求に、圃場の識別番号が含まれるか否かの判断が行われる。本実施形態では、携帯端末３０を携帯した農作業従事者が圃場まで実際に赴いて作業を行うが、圃場が密集している場合には、農作業従事者が作業を行う圃場を区別できない場合がある。そのため、本実施形態では、圃場ごとに標識４０が立てられており、農作業事業者が標識４０に携帯端末３０を近づけることで、標識４０に埋設されたＲＦタグ４１から圃場の識別番号を読み取り、これにより、携帯端末３０は圃場の識別番号とともに実施予定情報の取得要求を外部サーバー２０に送信することができる。このような場合、ステップＳ２０５においては、ステップＳ２０４で取得した実施予定情報の取得要求に、圃場の識別番号が含まれると判断し、ステップＳ２０７に進むこととなる。一方、本実施形態では、農作業従事者が、自身が担当する農作業を確認するために、携帯端末３０を介して、圃場を特定することなく、担当者を特定して、実施予定情報を取得する指示を入力することができ、この場合も、圃場の識別番号を含まないため、ステップＳ２０６に進む。
【００２７】
ステップＳ２０６では、圃場の識別番号を含まないため、外部サーバー２０は、データベース２４に記憶されている圃場を限定せずに実施予定情報を抽出し、携帯端末３０に送信する。なお、携帯端末３０から送信された取得要求に、実施予定情報を確認する圃場や担当者、日付などの情報が要求情報に含まれている場合には、外部サーバー２０は、要求情報に含まれる条件に応じた実施予定情報を携帯端末３０に送信する。これにより、携帯端末３０の処理部３１は、要求情報に含まれる条件に応じた実施予定情報をディスプレイ３４に表示する。
【００２８】
一方、ステップＳ２０５において、実施予定情報の取得要求に圃場の識別番号が含まれると判断された場合はステップＳ２０７に進む。ステップＳ２０７では、外部サーバー２０により、データベース２４に記憶されている作業予定表から、圃場の識別番号に対応する圃場の本日の実施予定情報が抽出され、外部サーバー２０から携帯端末３０へと送信される。携帯端末３０は、受信した実施予定情報を、ディスプレイ３４に表示する。ここで、図１１は、携帯端末３０のディスプレイ３４に表示される実施予定情報の一例である。識別番号に対応する圃場において実施すべき作業がある場合は、図１１（Ａ）に示すように、当該圃場において実施すべき作業の内容が携帯端末３０のディスプレイ３４に表示される。これにより、農作業従事者は、当該圃場で行うべき作業の内容を把握することができる。一方、農作業従事者が作業を行う圃場を間違えた場合など、圃場において実施すべき作業がない場合、図１１（Ｂ）に示すように、「本日、この圃場での作業予定はありません。」などのコメント情報が携帯端末３０のディスプレイ３４に表示される。
【００２９】
ステップＳ２０８では、携帯端末３０により、実施状況の入力が行われる。たとえば、農作業従事者は、作業を開始した後は、携帯端末３０の入力部３３を介して、図１２（Ａ），（Ｂ）に示すように、実施状況を登録するための画面を表示させることができる。図１２に示す例では、圃場に本日の実施予定情報が登録されている場合には、図１２（Ａ）に示すように、作業予定情報に基づいて、作業を実施する担当者と作業内容が表示される。また、圃場に本日の実施予定情報が登録されていない場合やスケジュールの関係から実施予定情報にない作業を行う場合に、農作業従事者は、図１１（Ａ），（Ｂ）に示す画面において「指示外作業」を選択することができる。この場合、図１２（Ｂ）に示すように、農作業従事者は、携帯端末３０の入力部３３を介して、作業を実施する担当者や作業内容を変更したり、追加したりすることができる。
【００３０】
また、図１２（Ａ），（Ｂ）に示すように、実施状況を登録するための画面には、作業の実施状況について「開始」、「中断」および「終了」が表示されており、農作業従事者は、これら実施状況の中から現在の実施状況を選択し入力することができる。たとえば、農作業従事者は、農作業を開始する際に当該画面において実施状況として「開始」を選択する。また、農作業従事者は、農作業を中断する際には当該画面において実施状況として「中断」を選択し、農作業を終了する際には当該画面において実施状況として「終了」を選択する。なお、入力部３３を介して実施状況が選択された場合、図１２（Ｃ）に示すように、実施状況の選択を確認する画面が表示される。図１２に示す画面で登録された実施状況情報（担当者、作業内容、実施状況などの情報）は、携帯端末３０の処理部３１により、通信部３５を介して外部サーバー２０へと送信され、外部サーバー２０のデータベース２４に実施実績情報として保存される。なお、図１２は、実施状況を登録するための画面の一例を示す図である。
【００３１】
ステップＳ２０９では、端末装置１０の処理部１１により、実施状況の確認が行われる。たとえば、農作業管理者は、任意のタイミングで、端末装置１０の入力部１３を介して、図１３に示すように、各圃場の作業の実施状況を確認するための画面を端末装置１０のディスプレイ１４に表示させることができる。この場合、端末装置１０の処理部１１は、通信部１５を介して、各圃場の実施予定情報と実施状況情報とを外部サーバー２０から取得する。そして、処理部１１は、図１３に示すように、各圃場の実施予定と実施状況とを関連付けてディスプレイ１４に表記する（図１３に示す例では、実施状況がステータスとして表示されている。）。これにより、農作業管理者は、各圃場における作業の実施状況を把握することができる。また、図１４に示すように、各圃場の実施状況は航空写真に関連付けられており、各圃場の実施状況を視覚的に把握することもできる。特に、実施状況に応じて航空写真の圃場の色を変えることで、各圃場の実施状況を視覚から容易に把握することができる。なお、図１４は、実施状況を確認するための画面に関連付けされた圃場の航空写真の一例を示す図である。なお、ステップＳ２０９の処理は、必要がある場合に行われ、省略することが可能である。
【００３２】
ステップＳ２１０では、端末装置１０の処理部１１により、実施実績（実施内容、担当者、実施開始時刻、実施終了時刻、実施状況、メモなど）の登録が行われる。たとえば、農作業管理者は、必要がある場合に、端末装置１０の入力部１３を介して、データベース２４から実施状況情報を取得し、図１５に示すように、各圃場の実施実績を登録するための画面をディスプレイ１４に表示させ、実施状況情報（作業内容、担当者、実施状況）を変更することができる。変更された実施状況情報は、通信部１５を介して、外部サーバー２０のデータベース２４に送信され記憶される。なお、ステップＳ２１０の処理も、省略することが可能である。
【００３３】
以上のように、第１実施形態に係る営農システム１００では、端末装置１０と、外部サーバー２０と、携帯端末３０と、圃場に立てられる標識４０と、を有する営農システム１００であって、外部サーバー２０は、農作物の育成手順を圃場ごとに登録した作業予定計画を記憶する記憶装置２２と、携帯端末３０から要求があった場合に、作業予定計画に基づく実施予定情報を携帯端末３０に送信する処理装置２１と、を有し、標識４０は、当該標識４０が立てられる圃場の識別情報を有し、携帯端末３０は、標識４０から識別情報を読み取る読み取り部３６と、外部サーバー２０から識別情報に対応する圃場の実施予定情報を取得する処理部３１と、を有する。これにより、第１実施形態に係る営農システムでは、農作業従事者が、携帯端末３０により、標識４０から圃場の識別情報を読み取ることで、携帯端末３０に当該圃場で実施すべき作業内容が表示されるため、複数の圃場が密集する場合でも、各圃場で実施する作業を容易に把握することができる。特に、従来では、ＧＰＳ（Global Positioning System）を利用して作業を実施する圃場を特定するものが知られていたが、このような技術では、山間部などのＧＰＳ情報が得られない圃場で使用できない場合や、ＧＰＳ情報の誤差により目的とする圃場が特定できない場合があった。しかしながら、本実施形態に係る営農システム１００は、圃場に立てられた標識４０から識別情報を読み取ることで、作業を行う圃場を間違うことなく、圃場で行う作業を確実に取得することができる。また、標識４０は電源が不要であり、メンテナンスも容易である。また、上述した実施形態では、端末装置１０に営農プログラム、並びに、マスターデータおよび実績データなどを記憶することで、電気通信回線５０を使用できない状況でも、端末装置１０により農作業を管理することができる。
【００３４】
≪第２実施形態≫
次に、第２実施形態に係る営農システムについて説明する。ここで、図１６は、第２実施形態に係る営農システムの構成図である。図１６に示すように、第２実施形態に係る営農システム１００ａは、第１実施形態に係る営農システム１００の構成に加えて、圃場に設置される水位センサー６０と、圃場に設置され圃場への給水を制御する自動給水装置７０と、圃場に設置され圃場からの排水を制御する自動排水装置８０とを有する。水位センサー６０、自動給水装置７０、および自動排水装置８０は、外部サーバー２０とそれぞれ電気通信回線５０を介して情報の授受が可能となっている。これにより、第２実施形態において、外部サーバー２０の通信装置２３は、水位センサー６０から圃場の水位情報を受信するとともに、自動給水装置７０および自動排水装置８０に給水または排水の指示を送信することができる。
【００３５】
具体的には、第２実施形態において、外部サーバー２０は、水位センサーから所定の時間間隔で（または所定の時刻に）各圃場の水位センサー６０から各圃場の水位情報を取得しており、作業予定計画または実施予定情報に、水位センサー６０から取得した各圃場の水位情報を含めて、端末装置１０および携帯端末３０に送信することができる。これにより、農作業管理者および農作業従事者は、端末装置１０または携帯端末３０のディスプレイ１４，３４を介して、各圃場の水位を確認することができる。なお、端末装置１０および携帯端末３０において、水位の情報を、圃場ごとに数値で表示することもできるし、また、図８や図１４のような圃場の航空写真において、水位が十分、水位が少ない、水位が多い、の３つに色分けし、水位の情報を各圃場の航空写真に重畳して表示することもできる。
【００３６】
また、農作業管理者および農作業従事者は、各圃場の水位情報に基づいて、端末装置１０または携帯端末３０の入力部１３，３３を介して、所定の画面から、外部サーバー２０に、自動給水装置７０の給水指示および自動排水装置８０の排水指示を送信することができる。外部サーバー２０は、自動給水装置７０の給水指示または自動排水装置８０の排水指示を端末装置１０または携帯端末３０から受信した場合に、当該指示を自動給水装置７０または自動排水装置８０に送信する。
【００３７】
自動給水装置７０は、農業用水路から圃場への給水を制御するための機構を有している。このような給水制御機構は、特に限定されず、たとえば給水口の開閉制御を行う機構など公知の技術を使用することができる。同様に、自動排水装置８０は、圃場から農業用水路への排水を制御するための機構を有している。このような排水制御機構も、特に限定されず、たとえば排水口の開閉制御を行う機構など公知の技術を使用することができる。自動給水装置７０および自動排水装置８０は、外部サーバー２０から給水指示を受信した場合、自動給水装置７０は給水を開始し、自動排水装置８０は排水を行っている場合には排水を停止する。同様に、自動給水装置７０および自動排水装置８０は、外部サーバー２０から排水指示を受信した場合、自動給水装置７０は給水を行っている場合には給水を停止し、自動排水装置８０は排水を開始する。
【００３８】
以上のように、第２実施形態に係る営農システム１００ａでは、作業予定計画や実施予定情報とともに各圃場の水位情報を確認することができ、たとえば農作業管理者は、各圃場の水位情報に基づいて作業予定計画や実施予定を適宜修正することが可能となる。また、第２実施形態においては、端末装置１０または携帯端末３０から自動給水装置７０および自動排水装置８０の制御を指示することができるため、わざわざ遠方の圃場に赴かずに、遠隔地から圃場の給水および排水を制御することができ、農作業従事者の農作業に要する労力を削減することもできる。
【００３９】
≪第３実施形態≫
次に、第３実施形態に係る営農システムについて説明する。第３実施形態に係る営農システム１００は、第１実施形態に係る営農システム１００と同様の構成を有しているが、果樹ごと、畝ごと、または畝や圃場の一部（畝や圃場を複数の領域に分割した一部領域）ごとなどの管理単位ごとに標識４０を設置し営農管理を行う点で、圃場ごとに標識４０を設置して営農管理する第１実施形態と異なる。なお、第３実施形態においても、看板部４２にＲＦタグ４１を埋め込んだ標識４０を用いることができる。
【００４０】
第３実施形態において、農作業管理者は、端末装置１０を用いて、管理単位（果樹、畝、畝や圃場の一部領域）ごとに、農作物の種類、品種、作業内容、作業日付などの入力情報を入力することで、農作業従事者は、携帯端末３０を用いて、標識４０から管理単位ごとの実施予定情報を取得することができ、当該実施予定情報に基づいて管理単位ごとに農作業を実施することができる。
【００４１】
たとえば、果樹を管理単位として標識４０を設置した場合、農作業従事者は、携帯端末３０をそれぞれの果樹に設置された標識４０にかざすことで、標識４０が設置されている果樹の識別番号を取得することができる。そして、携帯端末３０の処理部３１は、通信部３５を介して果樹の識別番号を含む実施予定情報の取得要求を外部サーバー２０に送信することで、外部サーバー２０から、当該果樹の実施予定情報を取得することができる。これにより、当該果樹の実施予定情報（たとえば、剪定、消毒、果実の収穫の作業内容など）に基づいて、当該果樹における農作業を実行することができる。
【００４２】
また、畝を管理単位として標識４０を設置した場合、農作業従事者は、携帯端末３０をそれぞれの畝に設置された標識４０にかざすことで、標識４０が設置されている畝の識別番号を取得することができる。そして、携帯端末３０の処理部３１は、通信部３５を介して畝の識別番号を含む実施予定情報の取得要求を外部サーバー２０に送信することで、外部サーバー２０から、当該畝の実施予定情報を取得することができる。これにより、農作業従業者は、当該畝の実施予定情報（たとえば、当該畝に植えられている農作物に関する情報や作業内容など）に基づいて、当該畝における農作業を実行することができる。
【００４３】
さらに、複数の領域に分割された畝や圃場の一部を管理単位として標識４０を設置した場合、農作業従事者は、携帯端末３０を畝や圃場のそれぞれの領域に設置された標識４０にかざすことで、標識４０が設置されている領域の識別番号を取得することができる。そして、携帯端末３０の処理部３１は、通信部３５を介して畝の識別番号を含む実施予定情報の取得要求を外部サーバー２０に送信することで、外部サーバー２０から、当該領域での実施予定情報を取得することができる。これにより、農作業従業者は、当該領域での実施予定情報（たとえば、当該領域に植えられている農作物の情報や作業内容など）に基づいて、当該領域における農作業を実行することができる。
【００４４】
以上のように、第３実施形態に係る営農システム１００では、果樹、畝、あるいは畝や圃場の一部領域を管理単位として標識４０を設置することで、農作業従事者は、携帯端末３０を用いて、標識４０から管理単位ごとの実施予定情報を取得することができ、当該実施予定情報に基づいて管理単位ごとに農作業を実施することができる。これにより、圃場において複数の農作物を育てている場合でも、農作業従事者は、農作物ごと（または管理単位ごと）に適切な農作業を行うことができる。
【００４５】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００４６】
たとえば、上述した実施形態では、標識４０が圃場の識別情報を記憶したＲＦタグ４１を有する構成を例示したが、この構成に限定されず、たとえば標識４０が圃場の識別情報としてＱＲコード（登録商標）を有する構成とすることもできる。この場合、農作業従事者は、携帯端末３０に備えるＱＲコードリーダーである読み取り部３６により標識４０のＱＲコードを読み取り、ＱＲコードに関連付けされたＵＲＬにアクセスすることで、圃場の識別情報に応じた圃場の実施予定情報を取得することができる。
【００４７】
また、上述した実施形態では、サーバー機能を有する端末装置１０および携帯端末３０に営農システムのプログラムが記憶されており、当該プログラムを端末装置１０または携帯端末３０で実行することで、図３の農作業登録処理および図４の農作業確認処理を行う構成を例示したが、この構成に限定されず、たとえば、外部サーバー２０に営農システムのプログラムを記憶しておき、端末装置１０および携帯端末３０はブラウザや専用画面を介して外部サーバー２０にアクセスすることで、外部サーバー２０上で営農システムのプログラムを実行する構成とすることもできる。このように、本発明における「サーバー」とは、営農プログラムを実行する主体をいい、サーバー機能を有する端末装置１０としてもよいし、外部サーバー２０としてもよい。
【００４８】
さらに、上述した実施形態では、携帯端末３０が実施予定情報を圃場などの外部で取得するために外部サーバー２０を設置する構成としたが、この構成に限定されず、ＶＰＮなどのトンネリングや暗号化技術を用いて、携帯端末３０が端末装置１０に直接接続して、実施予定情報を取得する構成としてもよい。
【００４９】
加えて、上述した実施形態に加えて、上述した実施形態で作成した実施予定情報を、組織内で共有するために、たとえば外部サーバー２０または端末装置１０に記憶したグループウェアに取り込む構成とすることができる。これにより、グループウェアで農作業の実施予定を入力する二度手間を省くことができる。
【００５０】
また、上述した第２実施形態では、農作業管理者および農作業従事者が、水位センサー６０の水位情報に基づいて、端末装置１０または携帯端末３０を介して、自動給水装置７０の給水指示または自動排水装置８０の排水指示を外部サーバー２０に送信することで、自動給水装置７０に給水制御および自動排水装置８０に排水制御を行わせる構成を例示したが、この構成に加えて、外部サーバー２０は、水位センサー６０で検知した圃場の水位が所定の上限値に達した場合に、直接に（農作業管理者または農作業従事者からの指示なく）、自動排水装置８０に排水制御を行わせることができる。同様に、外部サーバー２０は、水位センサー６０で検知した圃場の水位が所定の下限値に達した場合に、直接に（農作業管理者または農作業従事者からの指示なく）、自動給水装置７０に給水制御を行わせることができる。なお、水位センサー６０、自動給水装置７０および自動排水装置８０を制御するための専用サーバーを、外部サーバー２０から独立分離して設置する構成としてもよい。
【００５１】
さらに、上述した第２実施形態では、営農システム１００ａを用いて、水位センサー６０、自動給水装置７０および自動排水装置８０を制御することで圃場の水位を遠隔地から監視・調整する構成を例示したが、水位を監視・調整するのは圃場の農作業管理者または農作業従事者に限定されず、たとえば、土地改良区などに設置した端末装置１０で自動給水装置７０および自動排水装置８０を遠隔地からも制御可能であり、土地改良区などの送水ポンプ（給水のためのパイプラインの給水ポンプ）の起動・停止を管理している者が水位を監視・調整することもできる。つまり、土地改良区などの管理者は、端末装置１０により圃場に設置した自動給水装置７０が稼働していないことを把握した場合に、節電のために送水ポンプを停止することができる。
【符号の説明】
【００５２】
１００，１００ａ…営農システム
１０…端末装置
１１…処理部
１２…記憶部
１３…入力部
１４…ディスプレイ
１５…通信部
２０…外部サーバー
２１…処理装置
２２…記憶装置
２３…通信装置
２４…データベース
３０…携帯端末
３１…処理部
３２…記憶部
３３…入力部
３４…ディスプレイ
３５…通信部
３６…読み取り部
４０…標識
４２…看板部
４１…ＲＦタグ
４３…脚部
５０…電気通信回線
６０…水位センサー
７０…自動給水装置
８０…自動排水装置
【図１】
2020091840.tif 000003
【図２】
2020091840.tif 000004
【図３】
2020091840.tif 000005
【図４】
2020091840.tif 000006
【図５】
2020091840.tif 000007
【図６】
2020091840.tif 000008
【図７】
2020091840.tif 000009
【図８】
2020091840.tif 000010
【図９】
2020091840.tif 000011
【図１０】
2020091840.tif 000012
【図１１】
2020091840.tif 000013
【図１２】
2020091840.tif 000014
【図１３】
2020091840.tif 000015
【図１４】
2020091840.tif 000016
【図１５】
2020091840.tif 000017
【図１６】
2020091840.tif 000018